(57)【要約】      （修正有）【課題】ＵＳＢ省電力モード時にＵＳＢコントローラには、ＮＡＫ応答だけを返信できる部分にのみ通電、動作可能な構成をとることでバッファ等の追加なしに低コストで、無駄な電力を消費せず、更なる低電力も実現できる画像形成装置を提供する。【解決手段】電源制御部でＶＢＵＳの検出だけするように構成し、接続の検出は電源制御部のみで実施する。ＵＳＢコントローラは省電力モードからの復帰時には、ホストからのパケットを受信したことにより、ＮＡＫ信号のみを返信する。データ転送が可能になった時点でＡＣＫ信号を返し、データのやり取りを開始する。【選択図】図１２
2017047643.tif 000002
【特許請求の範囲】
【請求項１】
省電力状態を備えた画像形成装置であって、
前記画像形成装置の全体を制御するＣＰＵと、
揮発性メモリで構成される主記憶装置と、
前記画像形成装置の電源制御を行う電源制御手段と、
前記省電力状態から復帰する要因を検出する復帰要因検出手段と、
前記復帰要因検出手段に電源を通電／切断するかを検出する通電判定手段とを有し、
前記通電判定手段は、前記電源制御手段に接続し、
前記復帰要因検出手段は前記電源制御手段と接続され、複数の省電力状態を作るために通電／切断できるように構成され、
前記画像形成装置が省電力モードに移行する場合に
前記ＣＰＵは、前記通電判定手段の検出に従い、前記電源制御手段に所定の省電力状態に移行することを通知し、
前記電源制御手段は、前記復帰要因検出手段の電力状態に基づいて、前記復帰要因検出手段への電力供給を制御することを特徴とする画像形成装置。
【請求項２】
前記画像形成装置が省電力モードである時、
前記通電判定手段の状態が変化したことを電源制御手段は保持するとともに、
前記復帰要因検出手段で省電力モードから復帰する要因が検出された場合に、
前記ＣＰＵは、画像形成装置を復帰させるとともに、前記通電判定手段が省電モード前と変化がある場合には、その接続検出状態を変更する処理を実施することを特徴とする請求項２に記載の画像形成装置。
【請求項３】
前記復帰要因検出手段は、ＵＳＢペリフェラルデバイスとして機能させるためのＵＳＢコントローラであり、
前記通電判定手段は、ＵＳＢホストからのＶＢＵＳ信号であることを特徴とする請求項１又は請求項２に記載の画像形成装置。
【請求項４】
前記画像形成装置が省電力モードであり、前記復帰要因検出手段が通電されている場合に、
ＵＳＢに接続されている機器は、前記復帰要因検出手段に対してデータを送信してきたとき、
前記復帰要因手段は、ＮＡＣＫ信号を前記機器に返信するとともに前記電源制御手段に前記画像形成装置を通電させるように通知することを特徴とする請求項３に記載の画像形成装置。
【発明の詳細な説明】
【技術分野】
【０００１】
本発明は、複数の電力待機モードを有する画像形成装置に係り、その各モード間の状態遷移方法に関する。
【背景技術】
【０００２】
近年、環境への関心はますます深まり、環境を配慮した機能、省エネルギーモード（以下、省エネモード）や使用電力表示などを搭載した製品が数多く製品化されている。画像形成装置も省電力モードを有し、画像形成装置のユーザの使用状況や待機時間などにより、使用していない時間はなるべく長い時間省電力モードを継続できるように制御している。
【０００３】
しかしながら、画像形成装置の多機能化、ユーザの使用状況や機能設定に伴い、省電力モードもその待機モード数が増加しており、省電力モード中の消費電力にも違いがでている。同様に、省エネモードから復帰する復帰要因も増えてきている。すなわち、省エネモードへの移行や省エネモードからの復帰方法も複雑化し制御が難しくなっている。
【０００４】
例えば、ＵＳＢペリフェラルデバイスとして機能させるためのＵＳＢコントローラは、ＵＳＢホストデバイスであるユーザのパーソナルコンピュータによって任意のタイミングで接続／切断が可能である。画像形成装置側もその接続／切断によって省電力モードの待機モードを変化させることが知られている。
【０００５】
こうした背景の中、ＵＳＢのＶＢＵＳ信号で接続／切断を認識して、装置内の動作制御を実施する技術が提案されている（特許文献１参照）。また、省電力モード中はＵＳＢコントローラを切断し、別のワンチップマイコン等でＮＡＫ信号を返信するように構成し、ＵＳＢの信号を切り替える技術が提案されている（特許文献２参照）。
【先行技術文献】
【特許文献】
【０００６】
【特許文献１】特開２００４-２２７０６４号公報
【特許文献２】特開２０１３-１８７５９０号公報
【発明の概要】
【発明が解決しようとする課題】
【０００７】
しかしながら、上述した従来の技術では省電力中に別のデバイスやＵＳＢ信号を切り替えたりせねばならず、制御が複雑で電力がそれほど低減できないという課題がある。また、ＶＢＵＳ信号を装置内の電源としてＵＳＢコントローラなどで消費すると、省電力中に無駄な電力を消費しかねない。
【課題を解決するための手段】
【０００８】
上記の課題を解決するために、請求項１に記載の画像処理装置は、
省電力状態を備えた画像形成装置であって、
前記画像形成装置の全体を制御するＣＰＵと、
揮発性メモリで構成される主記憶装置と、
前記画像形成装置の電源制御を行う電源制御手段と、
前記省電力状態から復帰する要因を検出する復帰要因検出手段と、
前記復帰要因検出手段に電源を通電／切断するかを検出する通電判定手段とを有し、
前記通電判定手段は、前記電源制御手段に接続し、
前記復帰要因検出手段は前記電源制御手段と接続され、複数の省電力状態を作るために通電／切断できるように構成され、
前記画像形成装置が省電力モードに移行する場合に
前記ＣＰＵは、前記通電判定手段の検出に従い、前記電源制御手段に所望の省電力状態に移行することを通知し、
前記電源制御手段は、前記復帰要因検出手段の電力状態に基づいて、前記復帰要因検出手段への電力供給を制御することを特徴とする。
請求項２に記載の画像処理装置は、
前記画像形成装置が省電力モードである時、
前記通電判定手段の状態が変化したことを電源制御手段は保持するとともに、
前記復帰要因検出手段で省電力モードから復帰する要因が検出された場合に、
前記ＣＰＵは、画像形成装置を復帰させるとともに、前記通電判定手段が省電モード前と変化がある場合には、その接続検出状態を変更する処理を実施することを特徴とする。
請求項３に記載の画像処理装置は、
前記復帰要因検出手段は、ＵＳＢペリフェラルデバイスとして機能させるためのＵＳＢコントローラであり、
前記通電判定手段は、ＵＳＢホストからのＶＢＵＳ信号であることを特徴とする。
請求項４に記載の画像処理装置は、
前記画像形成装置が省電力モードであり、前記復帰要因検出手段が通電されている場合に、
ＵＳＢに接続されている機器は、前記復帰要因検出手段に対してデータを送信してきたとき、
前記復帰要因手段は、ＮＡＣＫ信号を前記機器に返信するとともに前記電源制御手段に前記画像形成装置を通電させるように通知することを特徴とする。
【発明の効果】
【０００９】
本発明に係る画像形成装置によれば、画像形成装置のＵＳＢ省電力モード時にＵＳＢコントローラには、ＮＡＫ応答だけを返信できる部分にのみ通電、動作可能な構成をとることでバッファ等の追加なしに低コストで実現できる。電力も最小限に抑えることができ効率的である。さらに、外部コンピュータが接続されているかを確認するＶＢＵＳ検知をＵＳＢコントローラでは実施させず、通常の省電力モードでも使用する電源制御部に実施させるように構成することで無駄な電力を消費せず、更なる低電力も実現できる。
【図面の簡単な説明】
【００１０】
【図１】画像形成装置の構成を示す図である。
【図２】画像形成装置の制御部の全体構成を示すブロック図である。
【図３】コントローラ制御部４００の構成を示すブロック図である。
【図４】画像形成装置の操作部８００の構成を表す図である。
【図５】画像形成装置の状態遷移図である。
【図６】画像形成装置の電源ブロック図である。
【図７】画像形成装置の低消費電力モードの電源状態図である。
【図８】画像形成装置のＵＳＢ省電力モードの電源状態図である。
【図９】本発明に係る画像形成装置のスタンバイ状態から各省電力モードに移行する状態遷移フローを示すフローチャートである。
【図１０】本発明に係る画像形成装置の低消費電力モードからスタンバイモードに移行する状態遷移フローを示すフローチャートである。
【図１１】本発明に係る画像形成装置のＵＳＢ省電力モードからスタンバイモードに移行する状態遷移フローを示すフローチャートである。
【図１２】本発明に係る画像形成装置のＵＳＢ省電力モードにあるときのＵＳＢ復帰検出部４１４の復帰要因検出フローを示すフローチャートである。
【発明を実施するための形態】
【００１１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
図１は本実施形態における画像形成装置の構成を示す図である。画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着されている。
【００１３】
原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードと、原稿をある読取り速度で読取位置Ｒ１へ搬送し、スキャナユニット２０６を読取位置Ｒ１で固定したまま原稿の読取りを行う原稿流し読取モードがある。その後、いずれのモードの場合も、読取った原稿を排紙トレイ１０６に排出する。
【００１４】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１５】
レンズ２０７を介してイメージセンサ２０８により読取られた原稿の画像は、露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１６】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。
【００１７】
このように、フェイスダウンで排出することにより、原稿搬送装置１００を用いて複数枚の原稿を読取った画像をプリントする場合など、先頭頁から正しい頁順で画像形成を行うことが可能である。
【００１８】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１９】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００２０】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
【００２１】
コントローラ制御部４００はイメージリーダ２００、プリンタ部３００折り装置５００およびフィニッシャ６００と通信を行い、画像形成装置全体の制御を司る。
【００２２】
図２は画像形成装置の制御部の全体構成を示すブロック図である。画像形成装置全体を制御するコントローラ制御部４００を中心に構成されている。コントローラ制御部４００は、操作部８００の設定や外部コンピュータ４５３からの指示に基づいて原稿搬送装置１００を制御する原稿搬送装置制御部１０１、イメージリーダ２００を制御するイメージリーダ制御部２０１と通信を行い入力される原稿の画像データを取得する。また、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００２３】
外部Ｉ／Ｆ４５１は外部コンピュータ４５３とを接続するインターフェースであり、例えばネットワークやＵＳＢなどの外部バス４５２で接続し外部コンピュータ４５３からのプリントデータを画像に展開して出力し、また図３に示すハードディスク４０７（以下、ＨＤＤ）内の画像データを外部コンピュータ４５３に送信することを行う。図３は本発明の実施の形態に係るコントローラ制御部４００の構成を示すブロック図である。
【００２４】
コントローラ制御部４００はＣＰＵ４０１で制御され、オペレーティングシステム（以下、ＯＳ）で制御される。バスブリッジ４０４はＣＰＵ４０１の初期起動プログラムを格納しているＲＯＭ４０２、ＣＰＵ４０１の制御データを一時的に保持し、制御に伴う演算の作業領域として用いられるＲＡＭ４０３が接続されている。半導体ディスク４０８には、ＣＰＵ４０１のＯＳを含むメインプログラムを格納している。
【００２５】
ＨＤＤ４０７には、ユーザが取得した画像データや後述する操作部８００で画像を編集したときの保存用に使用される。また、ＵＳＢインターフェースを制御するＵＳＢデバイス制御部４０５、ネットワークを制御するネットワーク制御部４１２、操作部８００を制御する操作部制御部４０６が接続されている。
【００２６】
ＣＰＵ４０１は、バスブリッジ４０４を介して、デバイス制御部４０９間の通信を行う。デバイス制御部４０９は原稿搬送装置制御部１０１、イメージリーダ制御部２０１、プリンタ制御部３０１折り装置制御部５０１、フィニッシャ制御部６０１と接続され制御を司る。
【００２７】
電源制御部４１０は、画像形成装置全体の電力制御を司る。たとえば、メインスイッチ３０２の状態を検出し、画像形成装置全体をＯＦＦするかＯＮするかの電源を制御する。また、原稿搬送装置制御部１０１、イメージリーダ制御部２０１、プリンタ制御部３０１折り装置制御部５０１、フィニッシャ制御部６０１への電源制御も行う。
【００２８】
本発明の実施の形態に係るコントローラ制御部４００内の後述する複数の省電力モードへの電源制御も、電源制御部４１０によって実現される。コントローラ制御部４００には、省電力モードからの各復帰要因を検出する復帰検出部を有する。復帰検出部は、ＵＳＢデバイス制御部４０５、ネットワーク制御部４１２、操作部制御部４０６内で各復帰要因を検出するだけの電力で構成している。
【００２９】
例えば、操作部復帰検出部４１４は、画像形成装置が省電力モードである場合、図４に示す操作部８００の省エネキー８０４が押下された場合に操作部復帰検出部４１４が電源制御部４１０に伝えて省電力モードから復帰させる。この場合には、操作部復帰検出部４１４は、省エネキー８０４が押下されることを検出できる部分のみ通電している構成になっている。
【００３０】
ネットワーク復帰検出部４１３は、パケットが検出されたことを判断できる部分のみ通電している。パケットを受信した際に電源制御部４１０に伝えて省電力モードから復帰させる。省電力モードから復帰させた後、例えば、プリント動作などの所望の動作を開始できる構成になっている。
【００３１】
同様に本発明の実施の形態であるＵＳＢ復帰検出部４１１も、パケットが検出されたことを判断できる部分のみ通電している。ＵＳＢ復帰検出部４１１は、パケットを受信することで外部コンピュータ４５３へＮＡＫ信号のみを返信することができる。同時に電源制御部４１０に、パケットが検出されたことを伝えて省電力モードから復帰させる。省電力モードから復帰させた後、プリント動作を開始できる構成になっている。詳細は後述する。
【００３２】
ここでいう、ＵＳＢデバイス制御部４０５とＵＳＢ復帰検出部４１１は、１つのＩＣを示しており、ＩＣの中で機能ブロックや電源を分けることが可能になっている。また、ＶＢＵＳ信号は電源制御部４１０に接続されており、ＶＢＵＳ信号の検出によって、外部コンピュータ４５３との接続状態を確認することが可能なようになっている。ＵＳＢ復帰検出部４１１には、ＶＢＵＳ信号は接続せずに無駄な電力が発生しないようにしている。
【００３３】
図４は画像形成装置の操作部８００の構成を表す図である。ＬＣＤ表示部９００は、ＬＣＤ上にタッチパネルシートが貼られており、システムの操作画面を表示するとともに、表示してあるキーが押されるとその位置情報をコントローラ制御部４００に伝える。テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザが省電力モードへの移行、復帰を行うのに使用する。
【００３４】
また、８０５はガイドキーであり、キーの機能が解らないとき押すとそのキーの説明が表示される。８０６はコピーモードキーであり、複写を行うときに押す。８０７はファックスキーであり、ファックスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
本発明を適用したＵＳＢインターフェースの省電力モード移行する手段、復帰する手段に関して詳細に説明する。
【００３５】
図５は本発明に係る画像形成装置の省電力モードにかかる電源状態遷移図である。図６は電源ブロック図であり、図７、８は本発明に係る画像形成装置の各省電力モード時の電源状態図である。図７は本発明に係る低消費電力モード電源状態であり、図８はＵＳＢ省電力モード電源状態である。図５、図６、図７および図８を使用して各電源状態の詳細に説明する。
【００３６】
各モードを以下のように定義する。
【００３７】
スタンバイモード（Ｐ１００）
電力状態は、商用電源（ＡＣコンセント）３０３がＯＮの状態で画像形成装置がいつでも動作可能で、即座にすべての操作を受け付ける状態である。メインスイッチ３０２、第１の電源３０４、電源制御部４１０が第１のスイッチ３１９、第２のスイッチ３２０をＯＮ（通電）して、第１の電源３０４および第２の電源３１８から画像形成装置全体に給電されている状態である。
【００３８】
電源ＯＦＦモード（Ｐ１０１）
商用電源（ＡＣコンセント）３０３がＯＦＦの状態と同様であり、画像形成装置に電力が供給されていない状態であり、ＯＦＦ状態である。このとき、画像形成装置には電力が来ていない状態なので、電気的な全ての操作を受け付けない。メインスイッチ３０２の遷移で本モードに遷移する。
【００３９】
スリープモード（Ｐ１０２）
電力状態はスタンバイモードと同様で、スタンバイモード中にユーザが操作部８００内の省エネキー８０４を押下させ省電力状態に移行を指示した場合、あるいは一定時間画像形成装置が未使用である場合などにスリープモードに移行する。ＣＰＵ４０１はＲＡＭ４０３に画像形成装置がスタンバイ状態から省電力モードに移行する直前の画像形成装置の状態のプログラムおよびデータをセルフリフレッシュを実行して保持する。スリープモードは、ＣＰＵ４０１が各省電力モードに移行する直前、すなわち電源制御部４１０に対して省電力モードに移行する指示をする直前までの処理の状態のことである。
【００４０】
低消費電力モード（Ｐ１０３）
図７の電力状態は、ＵＳＢインターフェースに外部コンピュータ４５３が認識されていない場合に、ＣＰＵ４０１から省電力モードに移行する指示がきた場合に電源制御部４１０が制御する電源状態である。網掛け部分には通電していないことを示す。画像形成装置が最も電力を必要としない状態まで電源を切断した省電力モードである。本発明では、電源制御部４１０、ＲＡＭ４０３、ネットワーク復帰検出部４１３、操作部復帰検出部４１４にのみ第１の電源３０４から電力を供給している。電源制御部４１０は、第１のスイッチ３１９、第２のスイッチ３２０をＯＦＦ（切断）することで低消費電力モードを実現している。
【００４１】
スタンバイモードへの復帰は、ネットワーク復帰検出部４１３が外部コンピュータ４５３からネットワークより画像形成装置に対して、パケットを受信した時に復帰する。同様に、操作部復帰検出部４１４は操作部８００の省エネＳＷキー８０４が押下された時にも復帰する。また、外部コンピュータ４５３からＶＢＵＳ信号を検出してＵＳＢ復帰検出部４１１を経由して、電源制御部４１０に通知され、省電力モードから復帰する。
【００４２】
ＵＳＢ省電力モード（Ｐ１０４）
図８の電力状態は、ＵＳＢインターフェースに外部コンピュータ４５３との接続が認識されている場合にＣＰＵ４０１から省電力モードに移行する指示がきた場合に電源制御部４１０が制御する電源状態である。図７の電力状態から、ＵＳＢ復帰検出部４１１が動作可能になっている状態である。電源制御部４１０は、第２のスイッチ３２０をＯＮ（通電）し、第１のスイッチ３１９をＯＦＦ（切断）することで実現している。ＵＳＢ復帰検出部４１１の電力は、第１の電源３０４から供給されている。
【００４３】
スタンバイモードへの復帰は、ＵＳＢ復帰検出部４１１が外部コンピュータ４５３からＵＳＢより画像形成装置に対して、プリント要求のパケットを受信したかを監視して、受信したら電源制御部４１０に通知する。ネットワーク復帰検出部４１３、操作部復帰検出部４１４からの復帰は、低消費電力モードの場合と同様に復帰可能である。
【００４４】
ＪＯＢ実行モード（Ｐ１０５）
画像形成装置がＪＯＢ、すなわち、コピー動作やプリント動作、外部コンピュータへの画像送信などを実行している状態であり、画像形成装置の全ての構成に対して電力供給が行われる。ＪＯＢを終了すると、スタンバイモードに遷移する。
【００４５】
図９は本発明に係る画像形成装置のスタンバイ状態から各省電力モードに移行する状態遷移フローを示すフローチャートであり、詳細に説明する。
【００４６】
画像形成装置がスタンバイ状態にあるとき、ＣＰＵ４０１は省エネ状態に移行するか否かの指示を監視している（Ｓ１０１）。例えば、ユーザが操作部８００内の省エネキー８０４を押下させ省電力状態に移行を指示した場合、あるいは一定時間画像形成装置が未使用である場合に、ＣＰＵ４０１は省電力状態に移行する準備を開始し、スリープモードに移行する。
【００４７】
ＣＰＵ４０１は、外部Ｉ／Ｆ４５１のＵＳＢ部に外部コンピュータ４５３との接続があるか否かを判別する（Ｓ１０２）。具体的には外部コンピュータ４５３からＶＢＵＳ信号が接続されているか、どうかを確認する。
【００４８】
外部コンピュータ４５３が接続されている場合には、ＣＰＵ４０１はＵＳＢ復帰検出部４１１へＵＳＢ信号を受信した際に、ＮＡＫ信号を返信できるように設定する（Ｓ１０３）。
【００４９】
同様にＣＰＵ４０１は、ネットワーク復帰検出部４１３に対して受信待機設定を実施する。ＣＰＵ４０１はＲＡＭ４０３にＣＰＵ４０１自身のレジスタ情報、ステータスなど格納する。ＲＡＭ４０３への格納が終了したら、ＣＰＵ４０１は図示しないメモリコントローラに対して、ＲＡＭ４０３がセルフリフレッシュ状態になるように設定する。（Ｓ１０４）。
【００５０】
ＣＰＵ４０１は、電源制御部４１０に対して第１のスイッチ３１９をＯＦＦ、第２のスイッチをＯＮを指示して（Ｓ１０５）、ＵＳＢ省電力モードに移行する。Ｓ１０２において、外部コンピュータ４５３が接続されていない場合には、ＣＰＵ４０１は、ネットワーク復帰検出部４１３に対して受信待機設定を実施する。ＣＰＵ４０１はＲＡＭ４０３にＣＰＵ４０１自身のレジスタ情報、ステータスなど格納する。ＲＡＭ４０３への格納が終了したら、ＣＰＵ４０１は図示しないメモリコントローラに対して、ＲＡＭ４０３がセルフリフレッシュ状態になるように設定する（Ｓ１０６）。
【００５１】
ＣＰＵ４０１は、電源制御部４１０は第１のスイッチ３１９をＯＦＦ、第２のスイッチをＯＦＦを指示して（Ｓ１０７）、低消費電力モードに移行する。
【００５２】
図１０は本発明に係る画像形成装置の低消費電力モードからスタンバイモードに復帰する状態遷移フローを示すフローチャートであり、詳細に説明する。低消費電力モードにあるときには、各復帰要因が入力されスタンバイ状態へ復帰させるか否かを待つ（Ｓ２０１）。
【００５３】
低消費電力モードからは、操作部復帰検出部４１４で省エネキー８０４が押下されるか、ネットワーク復帰検出部４１３において、画像形成装置にプリントＪＯＢや画像形成装置の情報取得のパケットが入力されるかを待つ。復帰の通知をうけた電源制御部４１０は、第１のスイッチ３１９および第２のスイッチ３２０をＯＮして（Ｓ２０２）、画像形成装置全体に電源が供給される。ＣＰＵ４０１はＲＡＭ４０３で保持している情報から復帰動作を行い（Ｓ２０３）、スタンバイモードに復帰する。
【００５４】
さらに、ＣＰＵ４０１は低消費電力モード中にＵＳＢから外部コンピュータの接続があったか否かを確認する（Ｓ２０４）。具体的には、ＣＰＵ４０１はＶＢＵＳ信号の状態を保持、検出できる電源制御部４１０に確認を行い、低消費電力モード中に外部コンピュータの接続があるか否かを確認する。低消費電力モード中に外部コンピュータの接続があり、ＶＢＵＳ信号が供給されている状態であれば、アタッチ処理を実施し使用可能な状態にする（Ｓ２０５）。
【００５５】
Ｓ２０４において、ＵＳＢから外部コンピュータの接続がない場合には何もしない。そのあと復帰要因の必要に応じて、プリント動作などの処理を行う。
【００５６】
図１１は本発明に係る画像形成装置のＵＳＢ省電力モードからスタンバイモードに復帰する状態遷移フローを示すフローチャートであり、詳細に説明する。
【００５７】
ＵＳＢ省電力モードにあるときには、各復帰要因が入力されスタンバイ状態へ復帰させるか否かを待つ（Ｓ３０１）。ＵＳＢ消費電力モードからは、操作部復帰検出部４１４で省エネキー８０４が押下されるか、ネットワーク復帰検出部４１３において、画像形成装置にプリントＪＯＢや画像形成装置の情報取得のパケットが入力されるかを待つ。また、画像形成装置にＵＳＢインターフェイスからプリントＪＯＢが入力されることが復帰要因となる。
【００５８】
復帰の通知をうけた電源制御部４１０は、第１のスイッチ３１９および第２のスイッチ３２０をＯＮして（Ｓ３０２）、画像形成装置全体に電源が供給される。ＣＰＵ４０１はＲＡＭ４０３で保持している情報から復帰動作を行い（Ｓ３０３）、スタンバイモードに復帰する。
【００５９】
ＣＰＵ４０１はＵＳＢから外部コンピュータのデータ入力により復帰であったかを確認する（Ｓ３０４）。外部コンピュータのデータ入力により復帰であった場合には、ＵＳＢ復帰検出部４１４へＵＳＢデータを受信可能である通知を行い（Ｓ３０５）、データの受信を開始する。
【００６０】
外部コンピュータのデータ入力により復帰でない場合には、ＣＰＵ４０１はＵＳＢ省電力モード中にＵＳＢから外部コンピュータの接続があったか否かを確認する（Ｓ３０６）。具体的には、ＣＰＵ４０１はＶＢＵＳ信号の状態を保持、検出できる電源制御部４１０に確認を行い、ＵＳＢ省電力モード中に外部コンピュータの接続がなくなったかを確認する。ＵＳＢ省電力モード中に外部コンピュータの接続がなくなった、すなわちＶＢＵＳ信号が供給されていない状態であれば、デタッチ処理を実施し接続がなくなった状態にする（Ｓ３０７）。
【００６１】
Ｓ３０６において、ＵＳＢから外部コンピュータの状態変化がない場合には何もしない。そのあと復帰要因の必要に応じて、プリント動作などの処理を行う。
【００６２】
図１２は本発明に係る画像形成装置のＵＳＢ省電力モードにあるときのＵＳＢ復帰検出部４１４の復帰要因検出フローを示すフローチャートであり、詳細に説明する。
【００６３】
ＵＳＢ省電力モードにあるときには、ＵＳＢ復帰検出部４１４は外部コンピュータからのデータ入力があるか否かを検出している（Ｓ４０１）。ＵＳＢ復帰検出部４１４は、外部コンピュータ４５３に対してＮＡＫ信号を返信することのみができるように構成している。これは、ＵＳＢのＥＯＰ（Ｅｎｄ  ｏｆ  Ｐａｃｋｅｔ）を検出することでＮＡＫ信号を返すように構成しており、データ受信バッファなども設けておらず、最小の構成で実現している。
【００６４】
外部コンピュータからのデータ入力があった場合には、ＵＳＢ復帰検出部４１４は外部コンピュータ４５３に対してＮＡＫ信号を返信するとともに、電源制御部４１０に対して、ＵＳＢ省電力モードから復帰するように復帰要因通知を行う（Ｓ４０２）。ＵＳＢ復帰検出部４１４は、ＣＰＵ４０１およびＵＳＢ（Ｄ）制御部４０５が復帰して外部コンピュータ４５３からの入力データを受信できるようになるまで待機する（Ｓ４０３）。
【００６５】
その間に再度外部コンピュータから応答するデータ入力があった場合には（Ｓ４０４）、ＮＡＫ信号を返信する（Ｓ４０５）。その間に再度外部コンピュータから応答するデータ入力があった場合には（Ｓ４０４）、ＮＡＫ信号を返信する（Ｓ４０５）。Ｓ３０５にて、ＣＰＵ４０１がデータ受信可能な状態になると外部コンピュータ４５３に対して、ＡＣＫ信号を応答して、データのやり取りが開始される。
【符号の説明】
【００６６】
３０２  メインスイッチ、４００  コントローラ制御部、４０１  ＣＰＵ、
４０２  ＲＯＭ、４０３  ＲＡＭ、４０４  バスブリッジ、
４０７  磁気ディスク（ＨＤＤ）、４０８  半導体ディスク、４０９  デバイス制御部、
４１０  電源制御部、４１１  ＵＳＢ復帰検出部、４１３  ネットワーク復帰検出部、
４１４  操作部復帰検出部、４５１  外部Ｉ／Ｆ、４５３  外部コンピュータ、
８００  操作部、９００  ＬＣＤ表示部
【図１】
2017047643.tif 000003
【図２】
2017047643.tif 000004
【図３】
2017047643.tif 000005
【図４】
2017047643.tif 000006
【図５】
2017047643.tif 000007
【図６】
2017047643.tif 000008
【図７】
2017047643.tif 000009
【図８】
2017047643.tif 000010
【図９】
2017047643.tif 000011
【図１０】
2017047643.tif 000012
【図１１】
2017047643.tif 000013
【図１２】
2017047643.tif 000014